(57)【要約】【課題】Ａｕｔｏモードで２Ｇアタッチ中のときも、定期的（ユーザから自発的なサービス開始要求時）に３Ｇへシステムを切り替える。【解決手段】Ｄｕａｌ端末使用時に２Ｇシステムにアタッチしており、ユーザからサービス起動要求があった場合、サービスを開始する前３Ｇシステムへの切り替え実行画面をディスプレイ部３５に表示させる機能を用いる。本機能が起動する条件は、２Ｇシステムにアタッチしたのち待ち受け中３Ｇセルをモニタできていることとする。本機能を実行するかの判断は、メニューにて“ＯＮ／ＯＦＦ”で選択できるようにし、ＯＮの場合ユーザが何れかのサービスを開始するタイミングで本機能が自動的に起動されるようにする。ＯＦＦの場合は、従来の機能のままである。【選択図】          図３
2008160741.tif 000002
【特許請求の範囲】
【請求項１】
複数の通信方式に対応した携帯端末であって、
複数の通信方式のセルと通信可能な通信部と、
所定の通信方式の通信品質保証の指標となる閾値を示す閾値情報を保持する記憶部と、
前記所定の通信方式のセルの電界レベルを測定し、前記所定の通信方式のサービスに対するユーザからの要求の有無を判定し、前記ユーザからの要求がある場合、前記電界レベルが前記閾値を超えている状態を一定時間満たしていれば、前記ユーザに通信方式の切り替えの可否を確認し、前記ユーザからの切り替え許可に応じて前記所定の通信方式に切り替える制御部と
を具備する
携帯端末。
【請求項２】
請求項１に記載の携帯端末であって、
前記記憶部から取得した前記閾値情報及び前記制御部により測定された前記電界レベルに基づいて、前記電界レベルが前記閾値を超えている状態を一定時間満たしているか判断し、前記制御部に通知する判定部
を更に具備する
携帯端末。
【請求項３】
請求項１又は２に記載の携帯端末であって、
前記ユーザに通信方式の切り替えの可否を選択させるための切り替え実行画面を表示する表示部
を更に具備する
携帯端末。
【請求項４】
請求項１乃至３のいずれか一項に記載の携帯端末であって、
前記制御部は、
前記電界レベルの測定を行う第１レイヤ部と、
前記電界レベルの品質確認を行う第２レイヤ部と、
前記第１レイヤ部に前記電界レベルの測定情報を前記第２レイヤ部に周期的に報告するよう指示する第３レイヤ部と
を具備する
携帯端末。
【請求項５】
請求項１乃至４のいずれか一項に記載の携帯端末であって、
前記制御部は、通信ネットワークの種別又は前記電界レベルに応じて、前記所定の通信方式の複数のセルから移行先セルの候補を選択する際の優先順位を設定する
携帯端末。
【請求項６】
請求項１乃至５のいずれか一項に記載の携帯端末であって、
前記制御部は、所定の通信ネットワークであるか否かに応じて通信方式の切り替えの可否を判断する
携帯端末。
【請求項７】
請求項１乃至６のいずれか一項に記載の携帯端末であって、
前記制御部は、報知された周辺セル情報に前記所定の通信方式のセルが含まれているか否かに応じて通信方式の切り替えの可否を判断する
携帯端末。
【請求項８】
請求項１乃至７のいずれか一項に記載の携帯端末であって、
前記制御部は、前記サービスの種別に応じて通信方式の切り替えの可否を判断する
携帯端末。
【請求項９】
（ａ）第１通信システムにアタッチしている状態のとき、第２通信システムのセルを検知し、前記セルの電界レベルを測定するステップと、
（ｂ）ユーザから前記第２通信システムのサービスに対する要求があるかどうかを判定するステップと、
（ｃ）通信品質保証の指標となる閾値を示す閾値情報を取得するステップと、
（ｄ）前記電界レベルが前記閾値を超えているか判断するステップと、
（ｅ）前記電界レベルが前記閾値を超えていれば、前記電界レベルが前記閾値を超えている状態を一定時間満たしているか判断するステップと、
（ｆ）前記サービスを開始する前に、前記第１通信システムから前記第２通信システムへのシステム切り替えを実行するかどうか前記ユーザに確認するステップと、
（ｇ）前記ユーザが前記システム切り替えを許容した場合、前記セルにシステムを切り替え、前記第２通信システムのアタッチ処理を開始するステップと、
（ｈ）アタッチが成功すれば前記サービスを開始するステップと
を具備する
通信システム切替方法。
【請求項１０】
請求項９に記載の通信システム切替方法であって、
前記（ｄ）ステップは、
（ｄ１）前記電界レベルが前記閾値を超えていない場合、又は、前記電界レベルが前記閾値を超えている状態を一定時間満たしていない場合、前記第１通信システムの利用を継続するステップ
を具備する
通信システム切替方法。
【請求項１１】
請求項９又は１０に記載の通信システム切替方法であって、
前記（ｆ）ステップは、
（ｆ１）前記ユーザが前記システム切り替えを拒否した場合、前記第１通信システムの利用を継続するステップ
を具備する
通信システム切替方法。
【請求項１２】
請求項９乃至１１のいずれか一項に記載の通信システム切替方法であって、
（ｉ）通信ネットワークの種別又は前記電界レベルに応じて、前記第２通信システムの複数のセルから移行先セルの候補を選択する際の優先順位を設定するステップ
を更に具備する
通信システム切替方法。
【請求項１３】
請求項９乃至１２のいずれか一項に記載の通信システム切替方法であって、
（ｊ）所定の通信ネットワークであるか否かに応じて通信方式の切り替えの可否を判断するステップ
を更に具備する
通信システム切替方法。
【請求項１４】
請求項９乃至１３のいずれか一項に記載の通信システム切替方法であって、
（ｋ）報知された周辺セル情報に前記第２通信システムに対応したセルが含まれているか否かに応じて前記システム切り替えの可否を判断するステップ
を更に具備する
通信システム切替方法。
【請求項１５】
請求項９乃至１４のいずれか一項に記載の通信システム切替方法であって、
（ｌ）前記サービスの種別に応じて前記システム切り替えの可否を判断するステップ
を更に具備する
通信システム切替方法。
【請求項１６】
請求項９乃至１５のいずれか一項に記載の通信システム切替方法を、コンピュータに実行させるためのプログラム。
【発明の詳細な説明】
【技術分野】
【０００１】
本発明は、携帯端末に関し、特に複数の通信システムを有効利用できるＤｕａｌシステム携帯端末に関する。
【背景技術】
【０００２】
Ｄｕａｌシステム携帯端末（以降Ｄｕａｌ端末）は、３Ｇ，２Ｇというように複数の異なる通信方式に対応した携帯端末である。３Ｇは第３世代の無線通信方式でＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）が一般的である。２Ｇは第２世代の無線通信方式でＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＧＰＲＳ（Ｇｅｎｅｒａｌ  Ｐａｃｋｅｔ  Ｒａｄｉｏ  Ｓｅｒｖｉｃｅ）が主である。
【０００３】
また、３Ｇ（第３世代）の移動体通信システムの標準規格を規定する標準化プロジェクトとして、３ＧＰＰ（３ｒｄ  Ｇｅｎｅｒａｔｉｏｎ  Ｐａｒｔｎｅｒｓｈｉｐ  Ｐｒｏｊｅｃｔ）が知られている。
【０００４】
３Ｇ，２Ｇといった複数の通信システムに対応するＤｕａｌ端末において、システムの切り替えを実施する判定方法は、３ＧＰＰ（ＴＳ２５．３０４等）の規定に従い、共通チャネルの受信パワーを基に計算した値をもとに判定する方法が一般的である。ここでいう「受信パワー」は、端末が受信した電波の強さ（受信電力）である。
【０００５】
この受信パワーの大きさを表すパラメータＲ（Ｘ）を用いて、３ＧＰＰで規定された演算式よりシステムの切り替えを実施する。演算式には、システムの切り替えが頻発することを抑えるために演算式の一部にヒステリシス（Ｈｙｓｔｅｒｅｓｉｓ）が設けられている。ヒステリシスとは、システムの切り替え前後の状態に対するスレッシュホールド（ｔｈｒｅｓｈｏｌｄ：閾値）が異なる特性のことである。ここでは、受信パワーが２Ｇシステムの閾値と３Ｇシステムの閾値の間にある状態をＨｙｓｔとする。
【０００６】
例えば、３Ｇシステムの場合Ｒ（３Ｇ）、２Ｇシステムの場合Ｒ（２Ｇ）、ヒステリシスの場合Ｒ（Ｈｙｓｔ）とすると、従来のシステムでは、２Ｇアクティブな場合、所定の時間Ｒ（２Ｇ）＋Ｒ（Ｈｙｓｔ）＜Ｒ（３Ｇ）の状態を満たしてはじめてシステムを２Ｇから３Ｇに切り替える。
【０００７】
３Ｇと２Ｇの受信パワーが、Ｈｙｓｔの範囲内、すなわち両システムの受信パワーが拮抗している状態にあるときは、３Ｇシステムへの移行が起こり難いというケースが発生する。つまり、３Ｇシステムのサービス品質が十分ある状態であっても２Ｇシステムに居座り続けることがある。
【０００８】
これまでのＤｕａｌ端末は、システムの選択方法として「Ａｕｔｏ（自動）モード」と「Ｍａｎｕａｌ（手動）モード」という２種類のモードがあり、Ａｕｔｏモードを選択した場合、長く２Ｇシステムに居続ける可能性がある。
【０００９】
Ａｕｔｏモード時、２Ｇシステムモードのままでいることはユーザにとってサービス・機能・品質の面でマイナスなことから改善が望まれる。また、３Ｇサービスを提供している通信事業者にとって、ユーザがローミング先の２Ｇセルでサービスを受けることは課金（ｃｈａｒｇｅ）面で優位性が保てなくなる。セルとは、携帯電話やＰＨＳなどに代表される広域移動通信において、１つの基地局がカバーする区域のことである。セル１つに基地局１つが対応する。
【００１０】
関連する技術として、特開２００４−３５６６８４号公報（特許文献１）に移動無線端末装置のセルサーチ方法及び移動無線端末装置が開示されている。
この従来技術では、２Ｇ、３Ｇ両方のセルサーチを行い、一方の受信電界レベルに応じて、他方のセルサーチ間隔を調整する旨が記載されている。
【００１１】
また、特開２００６−０３３５５２号公報（特許文献２）に携帯通信端末装置、外部端末装置及び無線通信システム切替方法が開示されている。
この従来技術では、外部端末から外部端末識別情報の送信を受けた携帯通信端末が、ユーザに通信システムの選択肢を提示し、ユーザの選択結果に基づいて、利用する通信システムを決定し設定する旨が記載されている。
【００１２】
更に、特開平０７−０５０８７１号公報（特許文献３）に移動体通信装置の通信チャネル切替装置が開示されている。
この従来技術では、受信状態の悪化に伴い通信チャネルを自動で切り替えることができると共に、使用者が通信チャネルの切り替えの必要性を感じたときには、通信チャネルを手動で切り替えることができる旨が記載されている。
【００１３】
【特許文献１】特開２００４−３５６６８４号公報
【特許文献２】特開２００６−０３３５５２号公報
【特許文献３】特開平０７−０５０８７１号公報
【発明の開示】
【発明が解決しようとする課題】
【００１４】
本発明の目的は、複数のシステムに対応するＤｕａｌ端末において、端末としての品質を落とさない携帯端末を提供することである。
本発明の他の目的は、ユーザ要求やユーザの動作によって行われるサービス開始時に、システム切り替えを可能にする携帯端末を提供することである。
本発明の更に他の目的は、システム切り替えにおいて、ユーザに切り替え有無の選択を促す携帯端末を提供することである。
【課題を解決するための手段】
【００１５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１６】
本発明の携帯端末は、３Ｇ，２Ｇといった複数の通信方式に対応したＤｕａｌシステム携帯端末であって、複数の通信方式のセルと通信可能な通信部（３１，３２）と、所定の通信方式の通信品質保証の指標となる閾値を示す閾値情報を保持する記憶部（３４）と、所定の通信方式のセルの電界レベルを測定し、所定の通信方式のサービスに対するユーザからの要求の有無を判定し、ユーザからの要求がある場合、電界レベルが閾値を超えている状態を一定時間満たしていれば、ユーザに通信方式の切り替えの可否を確認し、ユーザからの切り替え許可に応じて所定の通信方式に切り替える制御部（３３）とを具備する。ここでは、例として、所定の通信方式は３Ｇとしている。但し、実際には、３Ｇ，２Ｇ以外の通信方式を対象としていても良い。
【００１７】
本発明の携帯端末は、記憶部（３４）から取得した閾値情報及び制御部（３３）により測定された電界レベルに基づいて、電界レベルが閾値を超えている状態を一定時間満たしているか判断し、制御部（３３）に通知する判定部（３７）を更に具備する。
【００１８】
本発明の携帯端末は、ユーザに通信方式の切り替えの可否を選択させるための切り替え実行画面を表示する表示部（３５）を更に具備する。
【００１９】
制御部（３３）は、電界レベルの測定を行う第１レイヤ部（４４，４５）と、電界レベルの品質確認を行う第２レイヤ部（４２，４３）と、第１レイヤ部（４４，４５）に電界レベルの測定情報を第２レイヤ部（４２，４３）に周期的に報告するよう指示する第３レイヤ部（４１）とを具備する。
【００２０】
制御部（３３）は、通信ネットワークの種別又は電界レベルに応じて、所定の通信方式の複数のセルから移行先セルの候補を選択する際の優先順位を設定する。
【００２１】
制御部（３３）は、所定の通信ネットワークであるか否かに応じて通信方式の切り替えの可否を判断する。例えば、ＨＰＬＭＮ（Ｈｏｍｅ  Ｐｕｂｌｉｃ  Ｌａｎｄ  Ｍｏｂｉｌｅ  Ｎｅｔｗｏｒｋ）である場合は切り替え不可、それ以外は切り替え許可とする。
【００２２】
制御部（３３）は、報知された周辺セル情報に所定の通信方式のセルが含まれているか否かに応じて通信方式の切り替えの可否を判断する。
【００２３】
制御部（３３）は、サービスの種別に応じて通信方式の切り替えの可否を判断する。
【００２４】
本発明の通信システム切替方法は、（ａ）第１通信システムにアタッチしている状態のとき、第２通信システムのセルを検知し、セルの電界レベルを測定するステップと、（ｂ）ユーザから第２通信システムのサービスに対する要求があるかどうかを判定するステップと、（ｃ）通信品質保証の指標となる閾値を示す閾値情報を取得するステップと、（ｄ）電界レベルが閾値を超えているか判断するステップと、（ｅ）電界レベルが閾値を超えていれば、電界レベルが閾値を超えている状態を一定時間満たしているか判断するステップと、（ｆ）サービスを開始する前に、第１通信システムから第２通信システムへのシステム切り替えを実行するかどうかユーザに確認するステップと、（ｇ）ユーザがシステム切り替えを許容した場合、セルにシステムを切り替え、第２通信システムのアタッチ処理を開始するステップと、（ｈ）アタッチが成功すればサービスを開始するステップとを具備する。
ここでは、例として、第１通信システムは２Ｇ、第２通信システムは３Ｇとしている。但し、実際には、３Ｇ，２Ｇ以外の通信システムを対象としていても良い。
【００２５】
（ｄ）ステップは、（ｄ１）電界レベルが閾値を超えていない場合、又は、電界レベルが閾値を超えている状態を一定時間満たしていない場合、第１通信システムの利用を継続するステップを具備する。
【００２６】
（ｆ）ステップは、（ｆ１）ユーザがシステム切り替えを拒否した場合、第１通信システムの利用を継続するステップを具備する。
【００２７】
本発明の通信システム切替方法は、（ｉ）通信ネットワークの種別又は電界レベルに応じて、第２通信システムの複数のセルから移行先セルの候補を選択する際の優先順位を設定するステップを更に具備する。
【００２８】
本発明の通信システム切替方法は、（ｊ）所定の通信ネットワークであるか否かに応じて通信方式の切り替えの可否を判断するステップを更に具備する。例えば、ＨＰＬＭＮである場合は切り替え不可、それ以外は切り替え許可とする。
【００２９】
本発明の通信システム切替方法は、（ｋ）報知された周辺セル情報に第２通信システムに対応したセルが含まれているか否かに応じてシステム切り替えの可否を判断するステップを更に具備する。
【００３０】
本発明の通信システム切替方法は、（ｌ）サービスの種別に応じてシステム切り替えの可否を判断するステップを更に具備する。
【００３１】
本発明のプログラムは、上記のいずれかの通信システム切替方法をコンピュータに実行させる。
【発明の効果】
【００３２】
ユーザに最終的な選択権利を与えることにより、Ｄｕａｌ端末のパフォーマンス低下を防ぐ。また、サービス開始時というユーザが端末操作を行っているタイミングでの機能追加により、ユーザに対する操作性インパクト（操作に要する負担）は少なく、定期的なタイミングで３Ｇシステムへの切り替えが可能になることから、ユーザ／キャリア（ネットワーク側）双方の利便性向上を図ることができる。
【発明を実施するための最良の形態】
【００３３】
本発明について添付図面を参照して説明する。
本発明は、図１に示すように、３Ｇ，２Ｇといった複数の通信システムに対応するＤｕａｌ端末において、通信システム（通信方式）の異なるエリア間の移動の際のシステムの切り替えを対象としている。ここでは、２Ｇシステムのエリアから３Ｇシステムのエリアに移動した場合を例にする。
【００３４】
本発明では、Ａｕｔｏ（自動）モードにおいて２Ｇシステムにアタッチしているとき、ユーザ要求によるサービスの開始前に、２Ｇシステムから３Ｇシステムへのシステム切り替えを可能にする機能を追加する。アタッチするとは、位置登録が完了しユーザのサービス要求に対応可能な状態になることである。ここでいうサービスの例として、音声通話発信、パケット接続、ブラウザ（ｉ−ｍｏｄｅ（登録商標））接続、一部ＴＶ電話発信等がある。
【００３５】
具体的には、Ａｕｔｏモードであり、２Ｇにアタッチしているとき、ユーザ要求によるサービスの開始時に本発明を適用する。なお、「サービスが開始された」と判定するタイミングは、以下の通りである。
（１）ＣＳサービス…ダイヤルキー押下，電話帳開帳，発信／着信履歴メニュー選択，音声発信ボタン押下，ＴＶ電話発信ボタン押下
（２）ＰＳサービス…メニューでブラウザ（ｉ−ｍｏｄｅ（登録商標））開始選択，ＡＰＮ（ＡｃｃｅｓｓＰｏｉｎｔＮａｍｅ：接続先名）設定画面選択
【００３６】
図２に示すように、２Ｇシステムのエリアにおいて、ユーザによるサービス開始要求があった場合、Ｄｕａｌ端末は、モニタ（監視）している３Ｇセルの電界レベルが一定時間（ｔ）、所定の閾値を満たしていれば、３Ｇシステムのエリアに対応するようにシステム切り替えを行う。すなわち、ユーザによるサービス開始要求を受けてから、モニタしている３Ｇセルの電界レベルが所定の閾値を満たした状態で一定時間（ｔ）が経過すれば３Ｇシステムのエリアに対応するようにシステム切り替えを行う。
【００３７】
このとき、Ｄｕａｌ端末がモニタしているセルの中に３Ｇセルがあるということを条件に、Ｄｕａｌ端末のディスプレイ（表示画面）に３Ｇシステムへの切り替えを実行するか選択画面を表示してユーザに選択権利を与える。移行先セルは、そのとき最も電界レベルの高いセルとする。ここで、Ｄｕａｌ端末がセルをモニタする際、周期的に自セル及び周辺セルの電界レベルを計測する。２Ｇにアタッチしていても、周辺セル情報に３Ｇセルが存在すれば３Ｇセルのサーチ及び測定を実施する。
【００３８】
以上のように、Ａｕｔｏモードで２Ｇアタッチ中のときも、定期的、或いはユーザからの自発的なサービス開始要求時に３Ｇへシステムを切り替える機会が発生する。これにより、ユーザ（Ｄｕａｌ端末使用者）及びキャリア（３Ｇサービスを提供する通信事業者）双方にとって利用価値が高まり相乗効果が生まれる。
【００３９】
このとき、品質の悪いセル＜３Ｇ＞への移行を防止するため、Ｃｒｉｔｅｒｉａ（判定基準、ここでは閾値）を設定し本機能を実行するか否か判定する機能を追加する。これは、品質低下防止を目的としている。
【００４０】
つまり、本機能はシステム移行先＜３Ｇ＞の通信品質が十分確保されたと判断された
場合のみ実行することで、端末としての品質を落とさないようにする。３Ｇの品質判断は、受信パワーが端末内部に記憶された任意の値（Ｃｒｉｔｅｒｉａ＝閾値）を上回り、定められた時間本状態を満たすことを条件とする。
【００４１】
以下に本発明の第１実施形態について説明する。
図３を参照すると、本発明のＤｕａｌ端末は、アンテナ部３１と、無線部３２と、制御部３３と、記憶部３４と、ディスプレイ部３５と、メモリ部３６と、判定部３７を備える。
【００４２】
アンテナ部３１は、電波を受信する。無線部３２は、受信した電波を復調する。制御部３３は、復調されたデータを制御する。また、各部の制御を行う。記憶部３４は、閾値や時間に関する設定情報を保存する。ディスプレイ部３５は、データを表示する。メモリ部３６は、データを保存する。判定部３７は、本機能を実行するかどうか判断する。
【００４３】
判定部３７は、Ｄｕａｌ端末使用時において、２Ｇシステムにアタッチしており、ユーザからサービス起動要求があった場合、サービスを開始する前に３Ｇシステムへの切り替え実行画面をディスプレイ部３５に表示する機能を有する。制御部３３が本機能を有していても良い。すなわち、制御部３３と判定部３７は一体化していても良い。本機能が起動する条件は、２Ｇシステムにアタッチした後、待ち受け中３Ｇセルをモニタできていることとする。本発明を実行するかの判断は、メニューにて“ＯＮ／ＯＦＦ”で選択できるようにし、ＯＮの場合は、ユーザが何れかのサービスを開始するタイミングで本機能が自動的に起動されるようにする。従って、ユーザに対する操作性インパクト（操作に要する負担）は極めて少ない。ＯＦＦの場合は、従来の機能のままである。
【００４４】
図４を参照して、Ｄｕａｌ端末の制御部３３を説明する。
制御部３３は、複数のレイヤ（層）を使用しており、ここでは、レイヤ１と、レイヤ２と、レイヤ３を使用する。レイヤ１は、電界レベルの測定のためのレイヤである。レイヤ２は、電界レベルの品質確認のためのレイヤである。レイヤ３は、他のレイヤに指示するためのレイヤである。
【００４５】
図４では例として、ＮＡＳ＿ＭＲＳＬ４１と、ＵＬ２Ｒ＿ＲＲＣＢ（３Ｇ）４２と、ＧＡＳ＿ＲＲ（２Ｇ）４３と、ＨＷＣ＿ＭＲＴＲ（３Ｇ）４４と、ＨＷＣ＿ＧＬＬ１（２Ｇ）４５を示している。ＮＡＳ＿ＭＲＳＬ４１は、レイヤ３に属する。ＵＬ２Ｒ＿ＲＲＣＢ（３Ｇ）４２，ＧＡＳ＿ＲＲ（２Ｇ）４３は、レイヤ２に属する。ＨＷＣ＿ＭＲＴＲ（３Ｇ）４４，ＨＷＣ＿ＧＬＬ１（２Ｇ）４５は、レイヤ１に属する。
【００４６】
ここでは、ＮＡＳ＿ＭＲＳＬ４１は、３Ｇと２Ｇの双方に共通である。ＵＬ２Ｒ＿ＲＲＣＢ（３Ｇ）４２は、３Ｇのセルの電界レベルの品質確認を行う。ＧＡＳ＿ＲＲ（２Ｇ）４３は、２Ｇのセルの電界レベルの品質確認を行う。ＨＷＣ＿ＭＲＴＲ（３Ｇ）４４は、３Ｇのセルの電界レベルの測定を行う。ＨＷＣ＿ＧＬＬ１（２Ｇ）４５は、２Ｇのセルの電界レベルの測定を行う。
【００４７】
アンテナ部３１で受信した電波は、無線部３２で復調され、復調されたデータが制御部３３に入る。このとき、制御部３３は、ＨＷＣ＿ＭＲＴＲ（３Ｇ）４４，ＨＷＣ＿ＧＬＬ１（２Ｇ）４５にて、３Ｇと２Ｇのモニタセル（監視対象セル）の電界レベルを測定する。３Ｇと２Ｇのモニタセルの測定情報（電界情報）は、ＮＡＳ＿ＭＲＳＬ４１からの指示に基づき、ＨＷＣ＿ＭＲＴＲ（３Ｇ）４４，ＨＷＣ＿ＧＬＬ１（２Ｇ）４５から上位のレイヤであるＵＬ２Ｒ＿ＲＲＣＢ（３Ｇ）４２，ＧＡＳ＿ＲＲ（２Ｇ）４３へ周期的に報告される。最終的には、ＮＡＳ＿ＭＲＳＬ４１まで報告結果が上がる。
【００４８】
判定部３７は、制御部３３から取得したモニタセルの電界情報をもとに各処理を実行する。なお、受信電界レベルといったモニタセルの電界情報は、メモリ部３６にて任意の間サンプリング結果を保存できるよう規定する。メモリ容量オーバー時は、過去の情報から順次削除するよう定める。
【００４９】
図５を参照して、２Ｇアタッチ中、ユーザからの自発的サービス開始時システムを切り替える際の動作について説明する。説明に用いる端末は、２Ｇと３Ｇの２種類の無線通信システムに対応しているＤｕａｌ端末を想定する。また、２Ｇシステムにアタッチしている状態で機能ＯＮになっていることとする。
【００５０】
（１）ステップＳ１０１
制御部３３は、２Ｇシステムにアタッチしている状態のとき、隣接セルモニタで３Ｇセルを検知し、セルの電界レベルを測定する。
（２）ステップＳ１０２
制御部３３は、ユーザから予め定めたサービス開始の起動があるかどうかを判定する。すなわち、３Ｇシステムのサービスに対するユーザ要求の有無を判定する。サービスの例としては、音声通話、パケット接続、ブラウザ（ｉ−ｍｏｄｅ（登録商標））接続、ＴＶ電話の各サービスが考えられる。
（３）ステップＳ１０３
判定部３７は、記憶部３４から品質低下防止機能の指標となるＣｒｉｔｅｒｉａ情報（ＲＸ＿ｔｈ）を入手する。ここで、Ｃｒｉｔｅｒｉａ情報（ＲＸ＿ｔｈ）は、通信品質保証の指標となる電界レベルの閾値を定義している。
（４）ステップＳ１０４
判定部３７は、記憶部３４から入手したＣｒｉｔｅｒｉａ情報（ＲＸ＿ｔｈ）と、制御部３３が現在モニタしている３Ｇセルの電界レベル（ＲＸ＿３ＧＬｅｖ）に基づいて、ＲＸ＿３ＧＬｅｖ＞ＲＸ＿ｔｈであるか判断する。
（５）ステップＳ１０５
判定部３７は、ＲＸ＿３ＧＬｅｖ＞ＲＸ＿ｔｈであれば、ＲＸ＿３ＧＬｅｖ＞ＲＸ＿ｔｈの状態を一定時間（ｔ）満たしているか判断する。すなわち、ＲＸ＿３ＧＬｅｖ＞ＲＸ＿ｔｈの状態を一定時間（ｔ）継続しているか判断する。
（６）ステップＳ１０６
制御部３３は、ＲＸ＿３ＧＬｅｖ＞ＲＸ＿ｔｈでない場合、或いはＲＸ＿３ＧＬｅｖ＞ＲＸ＿ｔｈの状態を一定時間（ｔ）満たしていない場合、以降は従来の制御とする。すなわち、２Ｇシステムのままである。
（７）ステップＳ１０７
制御部３３は、ＲＸ＿３ＧＬｅｖ＞ＲＸ＿ｔｈであり、ＲＸ＿３ＧＬｅｖ＞ＲＸ＿ｔｈの状態を一定時間（ｔ）満たしている場合、ユーザから要求のあるサービスを開始する前に、ディスプレイ部３５にシステム切り替え（２Ｇ→３Ｇ）を実行するかどうか選択表示する。このとき、判定部３７が、ディスプレイ部３５への選択表示も含めてユーザにシステム切り替えを問い合わせる処理を実行し、ユーザからのシステム選択の可否を判定するようにしても良い。
（８）ステップＳ１０８
制御部３３は、システム選択をユーザ側で拒否した場合、従来の制御に移行する。すなわち、２Ｇシステムのままである。サービス終了後、一度最初の処理（ステップＳ１０１）に戻る。
（９）ステップＳ１０９
制御部３３は、システム選択をユーザ側で許容した場合、３Ｇセルにシステムを切り替えアタッチ処理を開始する。アタッチが成功すれば３Ｇにて起動サービスを開始する。
【００５１】
次に、無線通信技術（Ｒａｄｉｏ  Ａｃｃｅｓｓ  Ｔｅｃｈｎｏｌｏｇｙ：ＲＡＴ）に注目して従来技術と本発明の差異について説明する。ここでは、３ＧのＲＡＴを「３Ｇ＿ＲＡＴ」、２ＧのＲＡＴを「２Ｇ＿ＲＡＴ」とする。また、「２Ｇ＿ＩＤＬＥ」は、２Ｇ＿ＲＡＴにアタッチが完了し待ち受け中の状態である。ＩＤＬＥ状態ともいう。
【００５２】
従来のＤｕａｌ端末は、端末内部のメニューに設けられているネットワーク設定（ＲＡＴ選択）において、Ａｕｔｏ（自動）モードを選択し一度２Ｇ＿ＲＡＴにアタッチすると、３Ｇへ遷移するには以下の条件を満たさなければならない。これは、３ＧＰＰ（ＴＳ４５．００８）において規定されている。
【００５３】
まず、Ｄｕａｌ端末は、２Ｇ＿ＩＤＬＥ中に基地局からの報知情報ＳＩ２＿ｑｕａｔｅｒ（ＧＰＲＳの場合、ＳＩ３＿ｑｕａｔｅｒ）にて設定されたパラメータ（Ｑｓｅａｒｃｈ＿Ｉ）をもとに、３Ｇの隣接セルを測定するか判断する。その上で３Ｇセルをモニタしている場合、２Ｇ→３Ｇへ切り替わる条件は以下の通りである。
【００５４】
（条件１）３ＧセルのＲＳＣＰ＞２ＧセルのＲＳＳＩ＋ｏｆｆｓｅｔ＿１
（条件２）３ＧセルのＥｃ／Ｎｏ＞ｏｆｆｓｅｔ＿２−ｏｆｆｓｅｔ＿３
（条件３）３ＧセルのＲＳＣＰ＞ＲＳＣＰ＿ｔｈｒｅｓｈｏｌｄ
【００５５】
ここで、「３ＧセルのＲＳＣＰ」は、共通パイロットチャネル（Ｃｏｍｍｏｎ  Ｐｉｌｏｔ  Ｃｈａｎｎｅｌ：ＣＰＩＣＨ）の受信パワー（Ｒａｄｉｏ  Ｓｉｇｎａｌ  Ｃｏｄｅ  Ｐｏｗｅｒ：ＲＳＣＰ）である。「２ＧセルのＲＳＳＩ」は、２Ｇセルの受信パワー（Ｒｅｃｅｉｖｅｄ  Ｓｉｇｎａｌ  Ｓｔｒｅｎｇｔｈ  Ｉｎｄｉｃａｔｏｒ：ＲＳＳＩ）である。「ｏｆｆｓｅｔ＿１」，「ｏｆｆｓｅｔ＿２」，「ｏｆｆｓｅｔ＿３」は、基地局からの報知情報で指定される任意のパラメータである。「３ＧセルのＥｃ／Ｎｏ」は、ＲＳＣＰと逆拡散前の帯域内全電力ＲＳＳＩの比（Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ）である。「ＲＳＣＰ＿ｔｈｒｅｓｈｏｌｄ」は、基地局からの報知情報で指定される閾値である。
【００５６】
モニタしている３Ｇセルが複数存在する場合、最もＲＳＣＰの高いセルへ遷移する。また、１５秒以内に３Ｇセル→２Ｇセルに切り替わったばかりのときは、ｏｆｆｓｅｔ＿１は５ｄＢ嵩上げされる。
【００５７】
上記から、２Ｇに一度アタッチすると隣接セルとして３Ｇセルが存在する電波環境下であっても２Ｇセルに居座り続ける可能性がある。これは、ユーザ（Ｄｕａｌ端末使用者）及びキャリア（３Ｇサービスを提供する通信事業者）双方にとって好ましいとはいえない。
【００５８】
そこで本発明では、Ａｕｔｏモードで２ＧにアタッチしているＤｕａｌ端末ユーザが、サービスを開始する操作をトリガに３Ｇセルをモニタしているかどうか判断して、電界レベルの良い３Ｇセルを検知しているならば、サービス開始前ディスプレイ部に３Ｇへのシステム切り替え画面を表示させる。
【００５９】
ユーザに最終的な選択権利を与えることにより、従来とのパフォーマンス低下を防ぐ。また、サービス開始時というユーザが端末操作を行っているタイミングでの機能追加により、ユーザに対する操作性インパクト（操作に要する負担）は少なく、定期的なタイミングで３Ｇシステムへの切り替えが可能になることから、ユーザ／キャリア（ネットワーク側）双方の利便性向上を図ることができる。
【００６０】
以下に本発明の第２実施形態について説明する。
本発明は、メニューにあるネットワーク設定において、ユーザがＡｕｔｏモードを選択したとき機能する体系をとっているが、Ｍａｎｕａｌ（手動）モードで２Ｇにアタッチしているときに実行する形をとっても良い。
【００６１】
以下に本発明の第３実施形態について説明する。
本機能を実行する条件として、２Ｇ＿ＩＤＬＥ中、３Ｇセルをモニタしていることが前提の上で、３Ｇセルの受信パワーが規定の時間、任意の閾値を満たしていることを条件にしているが、閾値及び規定の時間はどちらも可変できるようにしても良い。規定の時間を長時間に設定し、過去のデータをフィードバックする場合は、メモリ部３６にて保存されているサンプリング結果を参照する。
【００６２】
以下に本発明の第４実施形態について説明する。
本機能適用にあたり、２Ｇアタッチ時のＰＬＭＮ（Ｐｕｂｌｉｃ  Ｌａｎｄ  Ｍｏｂｉｌｅ  Ｎｅｔｗｏｒｋ）を、ＨＰＬＭＮ（Ｈｏｍｅ  Ｐｕｂｌｉｃ  Ｌａｎｄ  Ｍｏｂｉｌｅ  Ｎｅｔｗｏｒｋ）とその他で区別しても良い。例えば、ＨＰＬＭＮである場合は機能ＯＦＦ、それ以外は機能ＯＮにすることが考えられる。ＰＬＭＮは、一般電話回線網等の固定網に対し、陸上移動通信サービスの提供を目的とした無線回線を含む移動通信専用ネットワークである。ＨＰＬＭＮは、ＳＩＭカード購入元ネットワークである。
【００６３】
以下に本発明の第５実施形態について説明する。
移行先３Ｇセルの選択について、２Ｇ＿ＩＤＬＥ時にモニタしている３Ｇセルの中で最も電界レベルの高いセルが移行先セルの候補と規定しているが、ＰＬＭＮ（ＲＰＬＭＮ，ＨＰＬＭＮ，ＵＰＬＭＮ，ＯＰＬＭＮ，ＶＰＬＭＮ）又はセルの電界レベル（受信パワー）を基に優先順位を決定できるようにしても良い。優先順位を決定する際、ＰＬＭＮ又はモニタしているセルの電界レベルのどちらかを選択する。セルの電界レベルを選択した場合、そのとき最も電界レベルの高いセルをＣａｎｄｉｄａｔｅセル（移行先セルの候補）に決定する。ＰＬＭＮを選択した場合、ＰＬＭＮ毎に優先順位を設定する。その上で、モニタ結果から選択したＰＬＭＮの中で最も電界レベルの高いセルをＣａｎｄｉｄａｔｅセルに決定する。
【００６４】
以下に本発明の第６実施形態について説明する。
報知（ＳＩ２＿ｑｕａｒｔｅｒ）の中の周辺セル情報に３Ｇセルがない場合は本機能をＯＦＦ、３Ｇセルの情報があれば本機能をＯＮというように、フレキシブルに可変できるようにしても良い。
【００６５】
以下に本発明の第７実施形態について説明する。
サービス種別により機能ＯＮ／ＯＦＦの区別を設けても良い。例えば、以下の様に区別することが考えられる。
（１）音声通話  →  機能ＯＦＦ
音声通話の場合、高速・高品質なサービスが必須でないため、機能ＯＦＦにする。
（２）パケット（データ）通信  →  機能ＯＮ
パケット（データ）通信の場合、高速データ転送が求められるため、機能ＯＮにする。
【００６６】
以下に本発明の第８実施形態について説明する。
これまでの説明では、２Ｇにおける３Ｇへのシステム選択という見地で記載しているが、３Ｇシステムから２Ｇシステムへの移行という逆のパターン（３Ｇ→２Ｇ）に適用しても良い。
【００６７】
以下に本発明の第９実施形態について説明する。
３Ｇ，２Ｇのみに限らず、複数システムを有する通信装置に本機能を適用しても良い。通信規約の異なる複数の通信システムに対応する通信装置に対して、本機能は有効に作用する。
【００６８】
本発明の携帯端末は、以下のような特徴を有する。
（特徴１）Ｍａｎｕａｌ（２Ｇ＿ＲＡＴ固定）モードにおいてユーザからの自発的なサービス開始要求に合わせてシステム切り替え（２Ｇ−＞３Ｇ）を可能にする。
（特徴２）複数のシステム間において本機能の適用を可能にする。
（特徴３）本機能実行に際し条件を設けて機能のＯＮ／ＯＦＦの変更を可能にする。
（特徴４）電界レベルの低いセルへ遷移を防ぐ品質低下防止の機能が設けられている。
【００６９】
以上のように、本発明は、Ｄｕａｌシステム携帯端末にて有効となる。複数のシステム（３Ｇ，２Ｇ）を有するＤｕａｌ端末は、システム選択にあたりユーザ自ら設定する「Ｍａｎｕａｌ（手動）モード」と、使用している環境から移動機が自動的にシステムを選択する「Ａｕｔｏ（自動）モード」の２種類ある。
【００７０】
Ｍａｎｕａｌモードは、サービスを享受したいシステムを手動選択できることからユーザの意思を反映できる反面、選択したシステムと異なる波しかないエリアの場合、ユーザが長くサービスを受けられないというケースが発生しうる。一方、Ａｕｔｏモードは環境に応じて最適なシステムを自動的に選択できることからユーザがサービスを享受できないというケースは減り効率的である。
【００７１】
但し、通常２Ｇにアタッチしているとき、２Ｇから３Ｇへのシステム切り替えは２Ｇの電界レベルが３Ｇに対して５秒間下回ること、また３Ｇセルの電界レベルが任意の閾値（ネットワークから指定される）を上回ることが条件となる。これにより、３Ｇ，２Ｇの電界レベルが拮抗している電界下では、２Ｇに居座り続けるケースが生まれると考えられる。
【００７２】
基本的に、３Ｇシステムにアタッチしているほうが、高速・高品質なサービスを享受できるという点で優位なことから上記事象はユーザにとって好ましくない。
【００７３】
そこで本発明では、２Ｇにアタッチしているとき、ユーザがサービス（音声通話・パケット・ブラウザ／ｉ−ｍｏｄｅ（登録商標）・テレビ電話）を開始する際のシステム切り替え（２Ｇ→３Ｇ）機能を提供する。これにより、ユーザに対して効率的で有効なシステム提供が可能となり、Ｄｕａｌ端末としての機能・品質向上に繋がる。
【図面の簡単な説明】
【００７４】
【図１】図１は、本発明の概要を示す図である。
【図２】図２は、本発明のシステム切り替えの条件を説明するための図である。
【図３】図３は、本発明のＤｕａｌ端末の構成を示すブロック図である。
【図４】図４は、Ｄｕａｌ端末の制御部での制御を説明するための図である。
【図５】図５は、システム切り替え時の動作を示すフローチャートである。
【符号の説明】
【００７５】
３１…  アンテナ部
３２…  無線部
３３…  制御部
３４…  記憶部
３５…  ディスプレイ部
３６…  メモリ部
３７…  判定部
４１…  ＮＡＳ＿ＭＲＳＬ
４２…  ＵＬ２Ｒ＿ＲＲＣＢ（３Ｇ）
４３…  ＧＡＳ＿ＲＲ（２Ｇ）
４４…  ＨＷＣ＿ＭＲＴＲ（３Ｇ）
４５…  ＨＷＣ＿ＧＬＬ１（２Ｇ）
【図１】
2008160741.tif 000003
【図２】
2008160741.tif 000004
【図３】
2008160741.tif 000005
【図４】
2008160741.tif 000006
【図５】
2008160741.tif 000007